(57)【要約】【課題】従来にはなかった条件に基づいて、データ受信のための２つの無線方式の使用方法を変化せる技術を提供する。【解決手段】放送・通信受信装置は、必要なデータセットのすべての分割データの取得を完了するまで（２１０、２５０）、データセットのうち既に受信した分割データによってわかるデータセットの有効期限、重要度、残りの分割データの量等に基づいて、複数の受信方法に対するコストを繰り返し算出し（２２０）、複数の方法のうち、最新のコスト間の関係に応じたいずれかの方法を繰り返し選択し（２３０）、選択した方法で必要な分割データを受信する（２４０）。【選択図】図５
2008061181.tif 000002
【特許請求の範囲】
【請求項１】
第１の無線方式でデータを受信する（２）第１データ受信手段と、
第２の無線方式でデータを受信する（３）第２データ受信手段と、
データセットのうち既に受信された既受信部分の情報に基づいて、前記データセットのうちまだ受信されていない未受信部分の受信のための前記第１データ受信手段と前記第２データ受信手段の使用比率を決定する（２３０）決定手段と、
前記決定手段が決定した使用比率に基づいて、前記第１データ受信手段および第２データ受信手段を制御する（２４０）制御手段と、を備えたデータセット受信装置。
【請求項２】
前記決定手段は、前記未受信部分の量に基づいて、前記使用比率を決定することを特徴とする請求項１に記載のデータセット受信装置。
【請求項３】
前記決定手段は、前記未信部分の量が大きいほど、前記第１データ受信手段と前記第２データ受信手段のうち、前記未受信部分の受信のために用いる対象の数を多く設定し、
前記制御手段は、前記決定手段が設定した数に基づいて、前記第１データ受信手段および第２データ受信手段を制御することを特徴とする請求項１に記載のデータセット受信装置。
【請求項４】
前記決定手段は、現在時点と、前記既受信部分中に含まれる前記データセットの期限と、の比較に基づいて、前記使用比率を決定することを特徴とする請求項１ないし３のいずれか１つに記載のデータセット受信装置。
【請求項５】
前記決定手段は、現在時点と、前記既受信部分中に含まれる前記データセットの期限が近いほど、前記第１データ受信手段と前記第２データ受信手段のうち、前記未受信部分の受信のために用いる対象の数を多く設定し、
前記制御手段は、前記決定手段が設定した数に基づいて、前記第１データ受信手段および前記第２データ受信手段を制御することを特徴とする請求項１ないし３のいずれか１つに記載のデータセット受信装置。
【請求項６】
前記決定手段は、前記既受信部分中に含まれる、前記データセットの重要度に基づいて、前記使用比率を決定することを特徴とする請求項１ないし５のいずれか１つに記載のデータセット受信装置。
【請求項７】
前記決定手段は、前記既受信部分中に含まれる、前記データセットの重要度が高いほど、前記第１データ受信手段と前記第２データ受信手段のうち、前記未受信部分の受信のために用いる対象の数を多く設定し、
前記制御手段は、前記決定手段が設定した数に基づいて、前記第１データ受信手段および前記第２データ受信手段を制御することを特徴とする請求項１ないし５のいずれか１つに記載のデータセット受信装置。
【請求項８】
前記決定手段は、前記第１データ受信手段および前記第２データ受信手段の無線受信品質に基づいて、前記使用比率を決定することを特徴とする請求項１ないし７のいずれか１つに記載のデータセット受信装置。
【請求項９】
当該データセット受信装置は車両に搭載されるものであって、
前記決定手段は、前記既受信部分の情報に基づいて、前記車両の主電源オフのときに前記第１データ受信手段または前記第２データ受信手段に前記未受信部分を受信させるか否かを決定することを特徴とする請求項１ないし８のいずれか１つに記載のデータセット受信装置。
【請求項１０】
前記決定手段は、
許容コストを前記既受信部分の情報に基づいて決定し、
前記第１データ受信手段のみに前記未受信データを受信させる受信方法の単独使用コストを特定し、
前記第１データ受信手段および前記第２データ受信手段の両方に前記未受信データを受信させる受信方法の共用コストを特定し、
前記単独使用コストおよび前記共用コストのうち、前記許容コストより低いものに対応する受信方法を、前記未受信部分を受信する方法として採用することを特徴とする請求項１ないし９のいずれか１つに記載のデータセット受信装置。
【請求項１１】
前記決定手段は、前記単独使用コストおよび前記共用コストを、前記第１データ受信手段の無線受信品質、前記第１データ受信手段の無線受信にかかる金銭的コスト、前記第２データ受信手段の無線受信品質、または、前記第２データ受信手段の無線受信にかかる金銭的コスト、に基づいて特定することを特徴とする請求項１０に記載のデータセット受信装置。
【請求項１２】
当該データセット受信装置は車両に搭載されるものであって、
前記決定手段は、
許容コストを前記既受信部分の情報に基づいて決定し、
前記車両の主電源がオフのときにのみ前記第１データ受信手段のみに前記未受信データを受信させる第１の受信方法の第１コストを特定し、
前記車両の主電源がオフのときにのみ前記第１データ受信手段および前記第２データ受信手段の両方に前記未受信データを受信させる第２の受信方法の第２コストを特定し、
前記車両の主電源のオン・オフにかかわらず前記第１データ受信手段のみに前記未受信データを受信させる第３の受信方法の第３コストを特定し、
前記車両の主電源のオン・オフにかかわらず前記第１データ受信手段および前記第２データ受信手段の両方に前記未受信データを受信させる第４の受信方法の第４コストを特定し、
前記第１、第２、第３、第４コストのうち、前記許容コストよりもコストが低くかつその低いものの中で最もコストが高いものに対応する受信方法を、前記未受信部分を受信する方法として採用することを特徴とする請求項１ないし９のいずれか１つに記載のデータセット受信装置。
【請求項１３】
当該データセット受信装置は車両に搭載されるものであって、
前記決定手段は、
前記既受信部分の情報に基づいて許容コストを決定し、
前記車両の主電源がオフのときにのみ前記第１データ受信手段のみに前記未受信データを受信させる第１の受信方法の第１コストを特定し、
前記車両の主電源がオフのときにのみ前記第１データ受信手段および前記第２データ受信手段の両方に前記未受信データを受信させる第２の受信方法の第２コストを特定し、
前記車両の主電源のオン・オフにかかわらず前記第１データ受信手段のみに前記未受信データを受信させる第３の受信方法の第３コストを特定し、
前記車両の主電源のオン・オフにかかわらず前記第１データ受信手段および前記第２データ受信手段の両方に前記未受信データを受信させる第４の受信方法の第４コストを特定し、
前記第１、第２、第３、第４コストのうち、前記許容コストよりもコストが低くかつその低いものの中で最も受信データレートが高いものに対応する受信方法を、前記未受信部分を受信する方法として採用することを特徴とする請求項１ないし９のいずれか１つに記載のデータセット受信装置。
【請求項１４】
前記決定手段は、前記第１、第２、第３、および第４コストを、前記第１データ受信手段の無線受信品質、前記第１データ受信手段の無線受信にかかる金銭的コスト、前記第２データ受信手段の無線受信品質、前記第２データ受信手段の無線受信にかかる金銭的コスト、または、前記車両の主電源オフ中に前記未受信データを受信することのコスト、に基づいて特定することを特徴とする請求項１３に記載のデータセット受信装置。
【請求項１５】
前記データセットは複数の分割データに分かれて送信され、
前記決定手段は、前記複数の分割データのうち１つの受信が完了したことに基づいて、前記使用比率を決定することを特徴とする請求項１ないし１４のいずれか１つに記載のデータセット受信装置。
【請求項１６】
前記決定手段は、定期的に、前記使用比率を決定することを特徴とする請求項１ないし１５のいずれか１つに記載のデータセット受信装置。
【請求項１７】
前記第１データ受信手段は、放送によって送信されるデータを受信するためのものであり、前記第２データ受信手段は、通信によって送信されるデータを受信するためのものであることを特徴とする請求項１ないし１６のいずれか１つに記載のデータセット受信装置。
【請求項１８】
第１の無線方式でデータを受信する第１データ受信手段および第２の無線方式でデータを受信する第２データ受信手段を備えたデータセット受信装置に用いられるデータセット受信プログラムであって、
データセットのうち既に受信された既受信部分の情報に基づいて、前記データセットのうちまだ受信されていない未受信部分の受信のための前記第１データ受信手段と前記第２データ受信手段の使用比率を決定する決定手段、および、
前記決定手段が決定した使用比率に基づいて、前記第１データ受信手段および第２データ受信手段を制御する制御手段として、コンピュータを機能させるデータセット受信プログラム。
【発明の詳細な説明】
【技術分野】
【０００１】
本発明は、データセット受信装置およびデータセット受信プログラムに関する。
【背景技術】
【０００２】
従来、２つの無線方式でデータを受信することができるデータセット受信装置において、各種条件に基づいてそれらの無線方式の使用方法を変化させる技術が提案されている。
【０００３】
例えば、特許文献１には、取得したいデータの特性に応じて、パケット通信と回線交換通信を使い分け、より少ない通信費用でデータの取得を行う技術が開示されている。
【０００４】
また、特許文献２には、放送により分割送信されるデータを受信側で取りこぼしたデータを、（Ａ）取りこぼし発見時、（Ｂ）カルーセル周期経過後、（Ｃ）ユーザ指示時、（Ｄ）通信回線接続中という４つの場合に、通信により取得する技術が開示されている。
【特許文献１】特開２００５−２１７５２６号公報
【特許文献２】特開２００２−１１８８１２号公報
【発明の開示】
【発明が解決しようとする課題】
【０００５】
本発明は、従来にはなかった条件に基づいて、データ受信のための２つの無線方式の使用方法を変化せる技術を提供することを目的とする。
【課題を解決するための手段】
【０００６】
上記の目的を達成するための本発明の特徴は、第１の無線方式でデータを受信する第１データ受信手段および第２の無線方式でデータを受信する第２データ受信手段を有するデータセット受信装置が、あるデータセットのうち既に受信された既受信部分の情報に基づいて、当該データセットのうちまだ受信されていない未受信部分の受信のための、第１データ受信手段と第２データ受信手段の使用比率を決定し、その決定した使用比率に基づいて、第１データ受信手段および第２データ受信手段を制御することである。
【０００７】
このようになっていることで、データセット受信装置は、データセットの既受信部分の情報に基づいた使用比率で第１データ受信手段と第２データ受信手段を制御して、当該データセットの未受信部分を受信することができる。なお、ここでいう比率としては、例えば、使用時間の比率、データ受信料の比率等がある。また、この比率は、使用するか否かについての比率であってもよい。この場合、第１データ受信手段と第２データ受信手段の両方を使用する場合は、比率は１：１となる。また、第１データ受信手段を用いて第２データ受信手段を用いない場合は、比率は１：０となる。
【０００８】
例えば、データセット受信装置は、既受信部分の量からわかる未受信部分の量に基づいて、使用比率を決定するようになっていてもよい。
【０００９】
また、データセット受信装置は、未受信部分の量が大きいほど、第１データ受信手段と第２データ受信手段のうち、未受信部分の受信のために用いる対象の数を多く設定し、また、設定した数に基づいて、第１データ受信手段および第２データ受信手段を制御するようになっていてもよい。
【００１０】
このようになっていることで、未受信のデータが残り少ないほどより積極的にデータセットを取得することができる。
【００１１】
また、データセット受信装置は、現在時点と、既受信部分中に含まれるデータセットの期限と、の比較に基づいて、使用比率を決定するようになっていてもよい。なお、データセットの期限としては、例えば、そのデータセットの使用可能期限、そのデータセットの受信可能期限があり得る。
【００１２】
このようにデータセットの既受信部分の中に記述されているデータセットの期限を利用することで、現在時点においてデータセットの期限が過ぎているか否か、過ぎていればどの程度過ぎているか、または、過ぎていなければどの程度の時間が期限まで残っているか等の、現在時点と期限との関係に基づいた方法で、データセットの未受信部分を受信することができる。
【００１３】
また、データセット受信装置は、現在時点と、既受信部分中に含まれるデータセットの期限が近いほど、第１データ受信手段と第２データ受信手段のうち、未受信部分の受信のために用いる対象の数を多く設定し、設定した数に基づいて、第１データ受信手段および第２データ受信手段を制御するようになっていてもよい。
【００１４】
このようになっていることで、データセット自体の中で規定されているデータセットの期限が切迫しているほど、より積極的にデータセットを取得することができる。
【００１５】
また、データセット受信装置は、既受信部分中に含まれる、データセットの重要度に基づいて、使用比率を決定するようになっていてもよい。
【００１６】
このようにデータセットの既受信部分の中に記述されているデータセットの重要度を利用することで、その重要度に応じた方法で、データセットの未受信部分を受信することができる。
【００１７】
また、データセット受信装置は、既受信部分中に含まれる、データセットの重要度が高いほど、第１データ受信手段と第２データ受信手段のうち、未受信部分の受信のために用いる対象の数を多く設定し、設定した数に基づいて、第１データ受信手段および第２データ受信手段を制御するようになっていてもよい。
【００１８】
このようになっていることで、データセット自体の中で規定されているデータセットの重要度が高いほど、より積極的にデータセットを取得することができる。
【００１９】
また、データセット受信装置は、第１データ受信手段および第２データ受信手段の無線受信品質に基づいて、使用比率を決定するようになっていてもよい。このようになっていることで、例えば、無線受信環境が大きく変化するような状況にデータセット受信装置が置かれている場合に、データセット受信装置は、より適切に第１データ受信手段および第２データ受信手段を制御してデータセットを受信することができる。
【００２０】
また、データセット受信装置は車両に搭載されるものであってもよい。この場合、データセット受信装置は、既受信部分の情報に基づいて、車両の主電源オフのときに第１データ受信手段または第２データ受信手段に未受信部分を受信させるか否かを決定するようになっていてもよい。
【００２１】
このようになっていることで、車両の主電源のオフ時にもデータセットの受信を行うとしても、それを行う場合および行わない場合を、既受信部分の情報に基づいて区別することができる。
【００２２】
また、データセット受信装置は、許容コストを既受信部分の情報に基づいて決定し、第１データ受信手段のみに未受信データを受信させる受信方法の単独使用コストを特定し、第１データ受信手段および第２データ受信手段の両方に未受信データを受信させる受信方法の共用コストを特定し、これら単独使用コストおよび共用コストのうち、許容コストより低いものに対応する受信方法を、未受信部分を受信する方法として採用するようになっていてもよい。
【００２３】
このようになっていることで、許容コストという上限を上回るコストを有する受信方法を除外した上で、残った受信方法のうちから受信方法決定することで、受信にかかるコストの際限ない増大を抑えることができる。なお、ここでいうコストとは、単に受信にかかる金銭的、時間的コストのみならず、広く、受信にかかる障害の大きさを示す指標をいう。
【００２４】
このとき、データセット受信装置は、単独使用コストおよび共用コストを、第１データ受信手段の無線受信品質、第１データ受信手段の無線受信にかかる金銭的コスト、第２データ受信手段の無線受信品質、または、第２データ受信手段の無線受信にかかる金銭的コスト、に基づいて特定するようになっていてもよい。
【００２５】
このようなっていることで、上記のようにして決まる単独使用コストおよび共用コストのうち、既受信部分の情報によって決まる許容コストよりも低いときに、それら低いものに対応する無線受信方法でデータセットの受信が行われる。
【００２６】
また、データセット受信装置が車両に搭載される場合、データセット受信装置は、許容コストを既受信部分の情報に基づいて決定し、車両の主電源がオフのときにのみ第１データ受信手段のみに未受信データを受信させる第１の受信方法の第１コストを特定し、車両の主電源がオフのときにのみ第１データ受信手段および第２データ受信手段の両方に未受信データを受信させる第２の受信方法の第２コストを特定し、車両の主電源のオン・オフにかかわらず第１データ受信手段のみに未受信データを受信させる第３の受信方法の第３コストを特定し、車両の主電源のオン・オフにかかわらず第１データ受信手段および第２データ受信手段の両方に未受信データを受信させる第４の受信方法の第４コストを特定し、第１、第２、第３、第４コストのうち、許容コストよりもコストが低くかつその低いものの中で最もコストが高いものに対応する受信方法を、未受信部分を受信する方法として採用してもよい。
【００２７】
このようになっていることで、許容コストという上限を上回るコストを有する受信方法を除外した上で、残った受信方法のうちで最もコストの高い受信方法を採用することで、受信のコストの際限ない増大を抑えた上で、最もコストの高い受信方法、すなわち、最も早くデータの受信を完了する可能性が高い受信方法で、データセットを受信することができる。
【００２８】
あるいは、この場合、データセット受信装置は、第１、第２、第３、第４コストのうち、許容コストよりもコストが低くかつその低いものの中で最も受信データレートが高いものに対応する受信方法を、前記未受信部分を受信する方法として採用するようになっていてもよい。
【００２９】
このようになっていることで、許容コストという上限を上回るコストを有する受信方法を除外した上で、残った受信方法のうちで最もコストの高い受信方法を採用することで、受信のコストの際限ない増大を抑えた上で、最も早くデータの受信を完了することができる受信方法で、データセットを受信することができる。
【００３０】
また、これらのとき、データセット受信装置は、第１、第２、第３、および第４コストを、第１データ受信手段の無線受信品質、第１データ受信手段の無線受信にかかる金銭的コスト、第２データ受信手段の無線受信品質、第２データ受信手段の無線受信にかかる金銭的コスト、または、車両の主電源オフ中に未受信データを受信することのコスト、に基づいて特定するようになっていてもよい。
【００３１】
このようなっていることで、上記のようにして決まる第１〜第４コストのうち、既受信部分の情報によって決まる許容コストよりも低いものについて、それら低いものに対応する無線受信方法でデータセットの受信が行われる。
【００３２】
また、データセットが複数の分割データに分かれて送信されている場合、データセット受信装置は、それら複数の分割データのうち１つの受信が完了したことに基づいて、使用比率を決定するようになっていてもよい。このようになっていることで、複数の分割データから成るデータセットの受信の最中に、１つの分割データの受信を契機として使用比率の再決定を繰り返し行うことで、より状況の変化に迅速に対応した方法でデータセットを受信することができるようになる。
【００３３】
また、データセット受信装置は、定期的に、使用比率を決定するようになっていてもよい。この場合においても、複数の分割データから成るデータセットの受信の最中に、使用比率の再決定を繰り返し定期的に行うことで、より状況の変化に迅速に対応した方法でデータセットを受信することができるようになる。
【００３４】
また、第１データ受信手段は、放送によって送信されるデータを受信するためのものであり、第２データ受信手段は、通信によって送信されるデータを受信するためのものであってもよい。
【００３５】
また、本発明の特徴は、第１の無線方式でデータを受信する第１データ受信手段および第２の無線方式でデータを受信する第２データ受信手段を備えたデータセット受信装置に用いられるデータセット受信プログラムであって、データセットのうち既に受信された既受信部分の情報に基づいて、当該データセットのうちまだ受信されていない未受信部分の受信のための当該第１データ受信手段と当該第２データ受信手段の使用比率を決定する決定手段、および、当該決定手段が決定した使用比率に基づいて、当該第１データ受信手段および第２データ受信手段を制御する制御手段として、コンピュータを機能させるデータセット受信プログラムとしても捉えることができる。
【発明を実施するための最良の形態】
【００３６】
以下、本発明の一実施形態について説明する。図１に、本実施形態に係るデータ送受信システムを概略的に示す。本実施形態のデータ送受信システムは、車両１０、車両１０に搭載された放送・通信受信装置１、衛星軌道上から放送電波を送信するデジタル放送衛星２０、放送・通信受信装置１と無線接続可能な基地局３０、基地局３０が接続する通信ネットワーク４０、および通信ネットワーク４０に接続するセンタ５０を有している。
【００３７】
デジタル放送衛星２０は、テレビ放送、ラジオ放送用のデータと共に、データ放送用のデータを、周知のデジタル衛星放方式（第１の無線方式の一例に相当する）を用いて、電波に乗せて地上に送出している。データ放送用のデータとしては、各種情報（例えば、ニュース情報、地域情報、番組表情報）を含む文字データ、静止画像データ、動画像データ、および音声データがある。また、データ方法用のデータは、デジタル衛星放送の放送電波を受信する装置によって用いられるプログラム（例えばプログラムアップデータデータ）であってもよい。
【００３８】
データ放送用のデータは、そのデータの用途ごとに１まとまりのデータセットとなっている。データセットは、例えば、１つの動画の全データ、１つの画像の全データ、１つのプログラムの全データ等である。図２に、送出されるデータセットの一例１００を示す。
【００３９】
データセット１００は、複数の分割データ１０１〜１０５から成る。分割データ１０１は、データセット識別子１０１ａ、分割データ総数１０１ｂ、分割データ連番１０１ｃ、有効期限１０１ｄ、データ重要度１０１ｅ、データ部１０１ｆ等の複数のフィールドから成る。なお、他の分割データ１０２〜１０５も、分割データ１０１と同じデータ構造を有している。
【００４０】
データセット識別子１０１ａのフィールドには、当該分割データ１０１が構成するデータセット１００を固有に識別するデータが含まれている。したがって、同じデータセット１００に属する分割データ１０１〜１０５中のデータセット識別子１０１ａのフィールドの内容は同一である。
【００４１】
分割データ総数１０１ｂのフィールドには、データセット１００を構成する分割データ１０１〜１０５の総数を示すデータが含まれている。したがって、同じデータセット１００に属する分割データ１０１〜１０５中の分割データ総数１０１ｂのフィールドの内容は同一である。
【００４２】
分割データ連番１０１ｃのフィールドには、当該分割データ１０１が、データセット１００の分割データのうち先頭から何番目のデータであるかを示すデータである。したがって、同じデータセット１００に属する分割データ１０１〜１０５中の分割データ連番１０１ｃの内容は、それぞれ異なっている。
【００４３】
有効期限１０１ｄのフィールドには、当該分割データ１０１が構成するデータセット１００の有効期限を示すデータが含まれている。したがって、同じデータセット１００に属する分割データ１０１〜１０５中の有効期限１０１ｄの内容は同一である。有効期限は、この期限を過ぎると当該データセット１００を使用することができなくなることを示す期限であってもよいし、この期限を過ぎると当該データセット１００がデジタル放送衛星２０からもセンタ５０からも送信されなくなる期限であってもよい。
【００４４】
データ重要度１０１ｅのフィールドには、当該分割データ１０１が構成するデータセット１００の重要度を示すデータが含まれている。したがって、同じデータセット１００に属する分割データ１０１〜１０５中のデータ重要度１０１ｅの内容は同一である。
【００４５】
データ部１０１ｆのフィールドには、当該分割データ１０１が構成するデータセット１００の本体データ（すなわち、静止画像、動画、音声、文字、プログラム等のデータ）の一部が含まれている。したがって、同じデータセット１００に属する分割データ１０１〜１０５中のデータ部１０１ｆの内容は異なる。データセット１００を構成するすべての分割データ１０１〜１０５を取得すると、データセット１００のすべてのデータを取得したことになる。
【００４６】
デジタル放送衛星２０は、データセット１００を送信するときには、データセット１００をこれら分割データ１０１〜１０５に分割し、それぞれを異なるタイミングで送出する。
【００４７】
デジタル放送衛星２０における各分割データの送信のタイミングは、間欠的なものである。より詳しくは、デジタル放送衛星２０は、ある分割データを、ある送信期間（例えば１ヶ月）中にのみ、ある間隔（例えば、１時間おき等の一定間隔、ランダムな間隔、あるいは、あらかじめ設定された不規則な間隔）で、繰り返し送信する。また、デジタル放送衛星２０は、１つのデータセット１００を構成する分割データ１０１〜１０５を、データセット１００内の順序における先頭から順に送出してもよいし、ランダムな順序で送出してもよい。
【００４８】
センタ５０は、基地局３０および通信ネットワーク４０を介して放送・通信受信装置１から要求信号を受信すると、その要求信号が指定するデータ放送用データを、通信ネットワーク４０および基地局３０を介して、その要求信号の送信元である放送・通信受信装置１に対して送信する。センタ５０が送信するデータ放送用データのデータ構造および内容は、デジタル放送衛星２０が送出するものと同じである。
【００４９】
基地局３０は、放送・通信受信装置１からセンタ５０へ送信される要求信号、および、センタ５０から放送・通信受信装置１へ送信されるデータ放送用データを中継する。データ放送用データを中継するとき、基地局３０は、通信ネットワーク４０を介してセンタ５０から受信したデータ放送用データを、周知の無線通信方式（例えばＣＤＭＡ、第２の無線通信方式の一例に相当する）に従って、無線電波として放送・通信受信装置１に送信する。
【００５０】
図３に、これらデジタル放送衛星２０およびセンタ５０から送信されたデータセット１００を受信する放送・通信受信装置１のハードウェア構成を、ブロック図で示す。この図に示す通り、放送・通信受信装置１は、放送受信部２、通信部３、通信制御部４、表示部５、データ記憶部６、電源制御部７、および受信データ制御部８を有している。
【００５１】
放送受信部２は、デジタル放送衛星２０が送出した放送電波の信号をアンテナを介して受ける。そして、受けた信号に対して増幅、周波数変換、復調、Ａ／Ｄ変換等、所定のデジタル衛星放送の方式に基づく無線受信処理を施し、その結果得たデータを受信データ制御部８に出力する。
【００５２】
通信部３は、通信制御部４から受けた要求信号に対してＤ／Ａ変換、変調、周波数変換、増幅等、所定の無線通信の方式に基づく無線送信処理を施し、その結果の信号を、センタ５０宛てとして、アンテナを用いて、基地局３０に送信する装置である。このような作動により、通信部３は、センタ５０に要求信号を送信することができる。
【００５３】
また、通信部３は、センタ５０から送信されたデータ放送用データに基づいて基地局３０が送出した電波の信号を、アンテナを介して受ける。そして、受けた信号に対して増幅、周波数変換、復調、Ａ／Ｄ変換等、所定の無線通信の方式に基づく無線受信処理を施し、その結果得たデータを通信制御部４に出力する。このような作動により、通信部３は、センタ５０から分割データを受信することができる。
【００５４】
通信制御部４は、受信データ制御部８からの制御に基づいて、要求信号を生成し、生成した要求信号を通信部３に出力する。また、通信部３から受けたデータを受信データ制御部８に出力する。
【００５５】
表示部５は、受信データ制御部８からの制御に基づいて画像または音声を出力する画像表示装置および音声出力装置である。
【００５６】
データ記憶部６は、受信データ制御部８が実行するためのプログラム、通信制御部４から受信したデータ等の情報を記憶する、書き込み可能な記憶媒体である。
【００５７】
電源制御部７は、車両のＡＣＣ（車両の主電源の一例に相当する）がオフとなったとき以降、放送・通信受信装置１の表示部５以外の部分へ電力の供給する装置である。また、電源制御部７は、受信データ制御部８から電源オフの制御を受けると、放送・通信受信装置１の各部への電力供給を終了する。
【００５８】
受信データ制御部８は、図示しないＣＰＵ、ＲＡＭ、ＲＯＭ等を有するマイクロコンピュータである。ＣＰＵは、ＲＯＭおよびデータ記憶部６から読み出した作動用のプログラムを実行し、その実行の際にはＲＡＭ、ＲＯＭ、およびデータ記憶部６から情報を読み出し、ＲＡＭおよびデータ記憶部６に対して情報の書き込みを行い、放送受信部２、通信制御部４、表示部５、および電源制御部７と信号の授受を行う。以下、ＣＰＵの作動を、受信データ制御部８自体の作動として記載する。
【００５９】
受信データ制御部８が実行する具体的な処理としては、テレビ・ラジオ視聴用処理、データ放送用データ受信処理、データ放送用データ再生処理等がある。
【００６０】
テレビ・ラジオ視聴用処理においては、受信データ制御部８は、放送受信部２および通信部３から受信したテレビ、ラジオ放送用のデータに基づいて、表示部５を制御する。それによって、放送・通信受信装置１は、乗員によるテレビ視聴またはラジオ聴取を実現することができる。
【００６１】
データ放送用データ受信処理においては、受信データ制御部８は、各種条件に基づいて、放送受信部２のみを用いて、または放送受信部２と通信部３の両方を用いて、１つのデータセットの受信を完了してデータ記憶部６に記録するための処理を実行する。
【００６２】
データ放送用データ再生処理においては、受信データ制御部８は、データ記憶部６に記録されたデータセットに応じた処理を実行する。例えば、当該データセットが動画データ、静止画データである場合、表示部５の画像表示装置を制御してそれらを表示させる。また、当該データセットが音声データである場合、表示部５の音声出力装置を制御して当該音声を出力させる。また、当該データセットがプログラムの更新データである場合、その更新データに基づいてデータ記憶部６中のプログラムの内容を更新する。
【００６３】
以下、データ放送用データ受信処理について詳述する。図４に示すように、受信データ制御部８は、１つのデータセット１００の受信を完了するために、それを構成する分割データ１０１〜１０５のすべてを受信する必要がある。なお、放送・通信受信装置１は、受信した分割データ中の分割データ連番に基づき、分割データを正しい順番に並べて結合する。
【００６４】
しかし、分割データ１０１〜１０５のそれぞれは放送衛星２０から常に送信されているわけではない。そして、送信されているタイミングに車両１０がデジタル放送衛星２０からの電波を受けることができる位置にいるとは限らない。その意味で、車載の放送・通信受信装置１において、デジタル放送衛星２０から必要な分割データを必要な時にタイミングよく受信することは困難である。
【００６５】
一方、センタ５０は、放送・通信受信装置１からの要求信号に応じて分割データを送信することができるので、放送・通信受信装置１は、センタ５０から必要な分割データを必要な時にタイミングよく受信することが比較的容易である。しかし、基地局３０との無線接続を介した通信は、時間課金制もしくは従量課金制であることが多く、したがって、大量のデータを受信するためには多大な金銭の支出が必要となることが多い。
【００６６】
そこで、受信データ制御部８は、データセットの全データを取得するために、デジタル放送衛星２０からの分割データ受信と、センタ５０からの分割データ受信とを、適宜使い分ける。
【００６７】
具体的には、取りこぼした分割データ数、分割データの重要度、分割データの有効期限、基地局３０との通信品質、放送受信品質等を重み付けすることにより、デジタル放送衛星２０のみから分割データを受信するか、またはデジタル放送衛星２０およびセンタ５０の両方から分割データを受信するかを決定する。
【００６８】
このような放送・通信受信装置１の作動を実現するデータ放送用データ受信処理のために、受信データ制御部８は、図５に示すデータセット受信プログラム２００を必要に応じて実行する。このデータセット受信プログラム２００の実行において、受信データ制御部８は、まずステップ２１０で、取得対象のデータセットの全データ（すなわち全分割データ）を受信したか否かを判定し、受信していればデータセット受信プログラム２００の実行を終了し、受信していなければ続いてステップ２２０を実行する。
【００６９】
続いてステップ２２０では、コスト算出を行う。具体的には、許容コストＣ０、およびこの許容コストＣ０と比較する対象のコストＣ１、Ｃ２、Ｃ３およびＣ４を算出する。コストＣ１〜Ｃ４は、それぞれ分割データの受信方法（１）〜（４）に対する困難度を示す指標である。
【００７０】
ここで、受信方法（１）〜（４）の内容は、以下の通りである。
■受信方法（１）：分割データを、車両のＡＣＣオフのときにのみ受信し、かつ、放送受信部２のみを用いて受信する方法
■受信方法（２）：分割データを、車両のＡＣＣがオンのときもオフのときも受信し、かつ、放送受信部２のみを用いて受信する方法
■受信方法（３）：分割データを、車両のＡＣＣオフのときにのみ受信し、かつ、放送受信部２および通信部３の両方を用いて受信する方法
■受信方法（４）：分割データを、車両のＡＣＣがオンのときもオフのときも受信し、かつ、放送受信部２および通信部３の両方を用いて受信する方法
ここで、許容コストＣ０は、取得対象データセットのうち、すでに受信した分割データの情報からわかるパラメータａ、ｂ、ｃに基づいて算出する。パラメータａは、取得対象データセットの有効期限までの日数である。このパラメータａの値は、当該分割データ中の有効期限のフィールドの内容と、現時点の日付とから算出する。パラメータａの値が小さいほど、すなわち、取得対象データの有効期限が切迫しているほど、許容コストＣ０は大きくなる。
【００７１】
パラメータｂは、取得対象データセットの重要度であり、当該分割データ中の重要度のフィールドの内容に基づいて特定する。パラメータｂの値が大きいほど、すなわち、取得対象データセットがより重要であるほど、許容コストＣ０は大きくなる。
【００７２】
パラメータｃは、取得対象データセットの受信を完了するために、すなわち、取得対象データセットの復元のために、取得することが必要な、未受信の分割データの数である。これは、既に受信した取得対象データの分割データの数と、当該分割データの分割データ総数のフィールドの内容とに基づいて特定する。パラメータｃの値が小さいほど、すなわち、受信しなければならない残りデータ量が少ないほど、許容コストＣ０は大きくなる。
【００７３】
具体的には、コストＣ０は、以下の計算式によって算出する。
Ｃ０＝（１０／ａ  ＋  ４ｂ  ＋  １０／ｃ）
ここで、ａ、ｂ、ｃは、それぞれ、パラメータａの日単位の数、パラメータｂの重要度が高いほど高い１０段階値、パラメータｃの個数単位の数である。
【００７４】
また、コストＣ１〜Ｃ４は、パラメータｄ、ｅ、ｆ、ｇに基づいて算出する。パラメータｄは、放送受信部２による受信品質としての、放送受信感度である。受信データ制御部８は、この放送受信感度を、放送受信部２が受信した電波信号の強度に基づいて、その強度が高いほど感度が良好となるように、特定する。
【００７５】
パラメータｅは、通信部３による品質としての通信環境である、この通信環境は、通信部３が受信した電波信号の強度に基づいて、その強度が高いほど環境が良好となるように、特定する。
【００７６】
パラメータｆは、ＡＣＣがオフであるとに分割データを受信することの困難度を示す一定値である。受信データ制御部８は、パラメータｇを、通信部３を用いた通信に課される金額が高いほど高い値である。
【００７７】
また、受信方法（１）に対するコストＣ１は、パラメータｄが小さいほど、すなわち、放送受信部２による受信品質が悪いほど、高い値である。具体的には、コストＣ１は、以下の計算式によって算出する。
Ｃ１＝５／ｄ
ここで、ｄは、パラメータｄの品質が良好なほど高い１０段階値である。
【００７８】
また、受信方法（２）に対するコストＣ２は、パラメータｄが小さいほど高い値である。また、コストＣ２は、パラメータｅが小さいほど、すなわち、通信部３による通信品質が悪いほど、高い値である。また、コストＣ２は、パラメータｇが大きいほど、すなわち、通信部３による通信費が高額なほど、高い値である。
【００７９】
具体的には、コストＣ２は、以下の計算式によって算出する。
Ｃ２＝５／ｄ  ＋  ５／ｅ  ＋  ｇ
ここでｅは、パラメータｄの品質が良好なほど高い１０段階値である。またｇは、パラメータｇの通信費が高いほど高い１０段階である。
Ｃ３＝５／ｄ  ＋ｆ
また、受信方法（３）に対するコストＣ３は、受信方法（１）に対するコストＣ１に、パラメータｆの値を付加したものである。また、受信方法（４）に対するコストＣ４は、受信方法（２）に対するコストＣ２に、パラメータｆの値を付加したものである。
Ｃ４＝５／ｄ＋  ５／ｅ  ＋  ｆ
図６に、３つの例についての、パラメータａ〜ｆ（カッコ内がその数値）、算出されるコストＣ０〜Ｃ４、そのコストに基づいて選択されるデータ受信方法の関係を、表形式で示す。なお、コストＣ１〜Ｃ４の間には、Ｃ１＜Ｃ３＜Ｃ４およびＣ１＜Ｃ２＜Ｃ４の関係が常に成立するが、Ｃ２とＣ３の間の大小関係は、パラメータｅ、ｆの値によって変化する。
【００８０】
ステップ２２０に続いては、ステップ２３０で、算出したコストＣ０〜Ｃ４に基づいて、受信方法（１）〜（４）のうち１つを選択する。具体的には、ステップ２２０で算出したコストＣ１〜Ｃ４のうち、許容コストＣ０より小さいコストを抽出する。そして、この抽出したコストのうち、最もコストの大きいものに対応する受信方法を選択する。
【００８１】
続いてステップ２４０では、選択した受信方法に対応する処理を実行する。具体的には、受信方法（１）を選択した場合には図７に示すモジュール３００Ａを実行し、受信方法（２）を選択した場合には図８に示すモジュール３００Ｂを実行し、受信方法（３）を選択した場合には図９に示すモジュール３００Ｃを実行し、受信方法（４）を選択した場合には図１０に示すモジュール３００Ｄを実行する。なお、モジュール３００Ａ〜Ｄは、データセット受信プログラム２００の一部となっている。図７〜図１０において同一の符号が付されたステップは、互いに同一の処理を行うものであり、ここではそれらについての重複した説明は省略する。
【００８２】
受信方法（１）のためのモジュール３００Ａの実行において、受信データ制御部８は、まずステップ３１０で、放送受信部２を用いてデジタル放送衛星２０から、取得対象データセットの一部でありかつ未受信の特定の分割データの一部（例えば１００ｋバイト等の所定データ量、１秒等の所定時間に相当するデータ量）の受信を行う。
【００８３】
続いてステップ３２０では、現在受信しようとしている分割データの取得を完了したか否かを判定する。完了していれば続いてステップ３６０を実行し、完了していなければ続いてステップ３３０を実行する。
【００８４】
ステップ３３０では、チェックタイマが満了したか否かを判定する。チェックタイマは、一定周期で満了する、電源制御部７によって実行されるソフトウェア的なタイマである。満了した場合続いてステップ３６０を実行し、満了していなければ続いてステップ３４０を実行する
ステップ３４０では、ＡＣＣがオフになったか否かを判定し、オフになれば続いてステップ３５０を実行し、オフになっていなければ続いてステップ３１０を実行する。
【００８５】
ステップ３５０では、取得対象データセットの受信のための処理を終了する旨を決定し、その後図５のステップ２５０に処理を進める。ステップ３６０では、取得対象データセットの受信のための処理を継続する旨を決定し、その後ステップ２５０に処理を進める。
【００８６】
このように、モジュール３００Ａの実行においては、１つの分割データの取得が終了するか（ステップ３２０参照）、チェックタイマが満了するか（ステップ３３０参照）、ＡＣＣがオフとなるまで（ステップ３４０参照）、未取得の分割データの、放送受信部２のみによる受信を繰り返す。そして、１つの分割データの取得が終了するか（ステップ３２０参照）、チェックタイマが満了すると（ステップ３３０参照）、取得対象データセットの受信を継続するためにステップ２５０にリターンする。また、ＡＣＣがオフとなると（ステップ３４０参照）取得対象データセットの受信を終了するためにステップ２５０にリターンする。
【００８７】
また、受信方法（２）のためのモジュール３００Ｂの実行において、受信データ制御部８は、ステップ３１０に続くステップ３１５では、通信制御部４を制御して、未取得の特定の分割データを（例えばデータセット識別子および分割データ連番を指定することにより）要求する要求信号を通信部３に出力させる。これによって、通信部３は当該信号をセンタ５０に送信し、さらに、センタ５０から送信される当該特定の分割データの一部（例えば１００ｋバイト等の所定データ量、１秒等の所定時間に相当するデータ量）を、通信部３および通信制御部４を介して受信する。ステップ３１０に続いてはステップ３２０を実行する。
【００８８】
このように、モジュール３００Ｂの実行においては、１つの分割データの取得が終了するか（ステップ３２０参照）、チェックタイマが満了するか（ステップ３３０参照）、ＡＣＣがオフとなるまで（ステップ３４０参照）、未取得の分割データの、放送受信部２および通信部３による受信を繰り返す。そして、１つの分割データの取得が終了するか（ステップ３２０参照）、チェックタイマが満了すると（ステップ３３０参照）、取得対象データセットの受信を継続するためにステップ２５０にリターンする。また、ＡＣＣがオフとなると（ステップ３４０参照）取得対象データセットの受信を終了するためにステップ２５０にリターンする。
【００８９】
また、受信方法（３）のためのモジュール３００Ｃの実行において、受信データ制御部８は、ステップ３３０でチェックタイマは満了していないと判定した後、続いてステップ３３５で、ＡＣＣオフ時電源監視タイマが満了したか否かを判定する。ＡＣＣオフ時電源監視タイマは、ＡＣＣがオフになったときにスタートし、スタート後基準時間経過時に満了する、電源制御部７によって実行されるソフトウェア的なタイマである。基準時間は、あらかじめ記憶された一定値（例えば１０分）であってもよいし、各種条件に基づいて変動する値（例えばバッテリ残量が少ないほど小さくなる値）であってもよいし、一定の範囲内でランダムに決まる値であってもよい。満了した場合続いてステップ３５０を実行し、満了していなければ続いてステップ３１０を実行する。
【００９０】
このように、モジュール３００Ｃの実行においては、１つの分割データの取得が終了するか（ステップ３２０参照）、チェックタイマが満了するか（ステップ３３０参照）、ＡＣＣがオフとなってから基準時間が経過するまで（ステップ３３５参照）、未取得の分割データの、放送受信部２のみによる受信を繰り返す。そして、１つの分割データの取得が終了するか（ステップ３２０参照）、チェックタイマが満了すると（ステップ３３０参照）、取得対象データセットの受信を継続するためにステップ２５０にリターンする。また、ＡＣＣオフ後に基準期間が経過する（ステップ３３５参照）取得対象データセットの受信を終了するためにステップ２５０にリターンする。
【００９１】
また、モジュール３００Ｄの実行においては、１つの分割データの取得が終了するか（ステップ３２０参照）、チェックタイマが満了するか（ステップ３３０参照）、ＡＣＣがオフとなってから基準時間が経過するまで（ステップ３３５参照）、未取得の分割データの、放送受信部２および通信部３による受信を繰り返す。そして、１つの分割データの取得が終了するか（ステップ３２０参照）、チェックタイマが満了すると（ステップ３３０参照）、取得対象データセットの受信を継続するためにステップ２５０にリターンする。また、ＡＣＣオフ後に基準期間が経過する（ステップ３３５参照）取得対象データセットの受信を終了するためにステップ２５０にリターンする。
【００９２】
ステップ２５０では、モジュール３００Ａ〜Ｄのいずれかのステップ３５０または３６０の決定に基づいて、取得対象データセットの受信を終了するか継続するかを判定する。受信を終了する場合、電源制御部７に対して電源オフ制御を実行した後、データセット受信プログラム２００の実行を終了する。受信を継続する場合、再度ステップ２１０を実行する。
【００９３】
以上のようなデータセット受信プログラム２００を電源制御部７に実行させることで、放送・通信受信装置１は、必要なデータセットのすべての分割データの取得を完了するまで（ステップ２１０、２５０参照）、パラメータａ〜ｇの値に基づいてコストＣ０〜Ｃ４を算出し（ステップ２２０参照）、方法（１）〜（４）のうち、最新のコストＣ０〜Ｃ４間の関係に応じたいずれかの方法を選択し（ステップ２３０参照）、選択した方法で必要な分割データを受信する（ステップ２４０参照）。
【００９４】
そして、その受信においては、１つの分割データの取得を完了する度に（図９〜１１のステップ３２０参照）、かつ、チェックタイマが満了する度に（図９〜１１のステップ３３０参照）、再度コスト算出、受信方法選択、および選択に応じた受信処理（ステップ２４０参照）を実行する。
【００９５】
また、ＡＣＣオフ時にも分割データを受信する場合は、分割データの受信中であっても、ＡＣＣオフのタイミングから基準時間経過したとき（図１１、１２のステップ３３５参照）、分割データの受信を中止して放送・通信受信装置１への電力供給を終了する。
【００９６】
このように、放送・通信受信装置１が、あるデータセットのうち既に受信された分割データ（既受信部分の一例に相当する）の情報に基づいて、当該データセットのうちまだ受信されていない分割データ（未受信部分の一例に相当する）の受信のための、放送受信部２と通信部３の使用比率を決定し、その決定した使用比率に基づいて、放送受信部２および通信部３の使用、不使用を制御し、分割データを受信する。ここで、使用比率は、方法（１）および（３）の場合、１対０であり、方法（２）および（４）の場合、１対１である。
【００９７】
このようになっていることで、放送・通信受信装置１は、データセットの既受信の分割データからわかる情報（重要度、有効期限、データセットの残り分割データ数）に基づいた使用比率で放送受信部２と通信部３を制御して、当該データセットの未受信の分割データを受信することができる。
【００９８】
具体的には、未受信の分割データの数が多い、許容コストＣ０を大きい値に算出する。許容コストＣ０が大きくなると、放送受信部２のみを用いる受信方法（１）、（３）よりも、放送受信部２と通信部３の両方を用いる受信方法（２）、（４）がより選択され易くなる。すなわち、より多くの受信手段を用い易くなる。このようになっていることで、未受信のデータが残り少ないほどより積極的にデータセットを取得することができる。
【００９９】
また、放送・通信受信装置１は、現在時点と、既受信の分割データ中に含まれるデータセットの有効期限と、の比較に基づいて、この使用比率を決定する。このように、既受信の分割データの中に記述されているデータセットの期限を利用することで、現在時点においてデータセットの期限が過ぎているか否か、過ぎていればどの程度過ぎているか、または、過ぎていなければどの程度の時間が期限まで残っているか等の、現在時点と期限との関係に基づいた受信方法で、データセットの未受信の分割データを受信することができるようになる。
【０１００】
具体的には、放送・通信受信装置１は、現在時点と、既受信の分割データ中に含まれるデータセットの期限が近いほど、許容コストＣ０を大きい値に算出する。このようになっていることで、データセット自体の中で規定されているデータセットの期限が切迫しているほど、より積極的にデータセットを取得することができる。
【０１０１】
また、放送・通信受信装置１は、既受信の分割データ中に含まれる、データセットの重要度に基づいて、使用比率を決定する。このようにデータセットの既受信の分割データの中に記述されているデータセットの重要度を利用することで、その重要度に応じた方法で、データセットの未受信の分割データを受信することができる。
【０１０２】
具体的には、放送・通信受信装置１は、既受信の分割データ中に含まれる、データセットの重要度が高いほど、許容コストＣ０を大きい値に算出する。このようになっていることで、データセット自体の中で規定されているデータセットの重要度が高いほど、より積極的にデータセットを取得することができる。
【０１０３】
また、放送・通信受信装置１は、放送受信部２および通信部３の無線受信品質に基づいて、この使用比率を決定するようになっている。このようになっていることで、例えば、無線受信環境が大きく変化するような環境下に車両１０がある場合に、放送・通信受信装置１は、より適切に放送受信部２および通信部３を制御してデータセットを受信することができる。
【０１０４】
また、放送・通信受信装置１は車両に搭載されるものであってもよい。この場合、放送・通信受信装置１は、既受信の分割データの情報に基づいて、車両の主電源オフのときに放送受信部２または通信部３に未受信の分割データを受信させるか否かを決定するようになっていてもよい。
【０１０５】
このようになっていることで、車両の主電源のオフ時にもデータセットの受信を行うとしても、それを行う場合および行わない場合を、既受信の分割データの情報に基づいて区別することができる。
【０１０６】
また、放送・通信受信装置１は、許容コストＣ０を既受信の分割データの情報に基づいて決定し、コストＣ１〜Ｃ４のうち、許容コストよりもコストが低くかつその低いものの中で最もコストが高いものに対応する受信方法を、未受信の分割データを受信する方法として採用している。
【０１０７】
このようになっていることで、許容コストという上限を上回るコストを有する受信方法を除外した上で、残った受信方法のうちで最もコストの高い受信方法を採用することで、受信のコストの際限ない増大を抑えた上で、最もコストの高い受信方法、すなわち、最も早くデータの受信を完了する可能性が高い受信方法で、データセットを受信することができる。
【０１０８】
また、放送・通信受信装置１は、複数の分割データのうち１つの受信が完了したことに基づいて、使用比率を再決定するようになっている。このようになっていることで、複数の分割データから成るデータセットの受信の最中に、１つの分割データの受信完了を契機として使用比率の再決定を繰り返し行うことで、より状況の変化に迅速に対応した方法でデータセットを受信することができるようになる。
【０１０９】
また、放送・通信受信装置１は、定期的に、再度使用比率を決定するようになっていてもよい。この場合においても、複数の分割データから成るデータセットの受信の最中に、１つの分割データの受信を契機として使用比率の再決定を繰り返し行うことで、より状況の変化に迅速に対応した方法でデータセットを受信することができるようになる。
【０１１０】
なお、上記の実施形態において、放送・通信受信装置１がデータセット受信装置の一例に相当し、放送受信部２が第１データ受信手段の一例に相当し、通信部３が第２データ受信装置の一例に相当し、データセット受信プログラム２００がデータセット受信プログラムの一例に相当する。
【０１１１】
また、受信データ制御部８が、データセット受信プログラム２００のステップ２３０を実行することで決定手段の一例として機能し、ステップ２４０を実行することで制御手段の一例として機能する。
（他の実施形態）
以上、本発明の実施形態について説明したが、本発明の範囲は、上記実施形態のみに限定されるものではなく、本発明の各発明特定事項の機能を実現し得る種々の形態を包含するものである。
【０１１２】
例えば、ＡＣＣオフ時にも分割データを受信する場合は、分割データの受信中は、ＡＣＣオフのタイミングから基準時間経過しても、その分割データの受信が完了するまで待ち、完了した後に放送・通信受信装置１への電力供給を終了するようになっていてもよい。
【０１１３】
また、ステップ２３０では、受信データ制御部８は、コストＣ１〜Ｃ４のうち、許容コストＣ０よりもコストが低くかつその低いものの中で最も受信データレートが高いものに対応する受信方法を、未受信の分割データを受信する方法として採用するようになっていてもよい。このようになっていることで、許容コストという上限を上回るコストを有する受信方法を除外した上で、残った受信方法のうちで最もコストの高い受信方法を採用する。したがって、受信のコストの際限ない増大を抑えた上で、最も早くデータの受信を完了することができる受信方法で、データセットを受信することができる。
【０１１４】
また、ステップ２２０で算出するコストＣ１〜Ｃ４は、常にＣ１＜Ｃ２＜Ｃ３＜Ｃ４となる一定値であってもよい。
【０１１５】
また、受信方法（１）〜（４）には、あらかじめ決まった優先度（例えば方法（４）、（３）、（２）、（１）の順に優先度が高い）が割り当てられており、受信データ制御部８は、ステップ２３０においては、許容コストより小さいコストを有する受信方法のうち、それらの個々のコスト値に関わらす、その優先度の最も高いものを選択するようになっていてもよい。
【０１１６】
また、１つのデータセット内の分割データの総数は、１０でも、１００でも、１０００でも、どのような値でもよい。
【０１１７】
また、第１データ受信手段は、デジタル放送衛星２０以外からデータを受信するようになっていてもよいし、第２データ受信手段は、基地局３０を介してセンタ５０からデータを受信する以外の方法でデータを受信するようになっていてもよい。例えば、放送受信部２は、デジタル放送衛星２０に代えて、ＯＦＤＭ方式による地上デジタル放送局からデータ放送用データを受信するようになっていてもよい。
【０１１８】
また、上記の実施形態において、受信データ制御部８がプログラムを実行することで実現している各機能は、それらの機能を有するハードウェア（例えば回路構成をプログラムすることが可能なＦＰＧＡ）を用いて実現するようになっていてもよい。
【図面の簡単な説明】
【０１１９】
【図１】本発明の実施形態に係るデータ送受信システムの概略図である。
【図２】放送衛星２０およびセンタ５０から送出されるデータセット１００の構成を示す図である。
【図３】放送・通信受信装置１のハードウェア構成を示すブロック図である。
【図４】放送・通信受信装置１におけるデータ受信の方法を示す図である。
【図５】放送・通信受信装置１の受信データ制御部８が実行するデータセット受信プログラム２００のフローチャートである。
【図６】データの受信状況に関するパラメータａ〜ｇの取りうる値、算出されるコストＣ０〜Ｃ４、および選択されるデータ受信方法の例を示す図表である。
【図７】モジュール３００Ａのフローチャートである。
【図８】モジュール３００Ｂのフローチャートである。
【図９】モジュール３００Ｃのフローチャートである。
【図１０】モジュール３００Ｄのフローチャートである。
【符号の説明】
【０１２０】
１…放送・通信受信装置、２…放送受信部、３…通信部、４…通信制御部、
５…表示部、６…データ記憶部、７…電源制御部、８…受信データ制御部、
１０…車両、２０…デジタル放送衛星、３０…基地局、４０…通信ネットワーク、
５０…センタ、１００…データセット、１０１…分割データ、
１０１ａ…データセット識別子、１０１ｂ…分割データ総数、
１０１ｃ…分割データ連番、１０１ｄ…有効期限、１０１ｅ…データ重要度、
１０１ｆ…データ部、２００…データセット受信プログラム、
３００Ａ〜Ｄ…モジュール。
【図１】
2008061181.tif 000003
【図２】
2008061181.tif 000004
【図３】
2008061181.tif 000005
【図４】
2008061181.tif 000006
【図５】
2008061181.tif 000007
【図６】
2008061181.tif 000008
【図７】
2008061181.tif 000009
【図８】
2008061181.tif 000010
【図９】
2008061181.tif 000011
【図１０】
2008061181.tif 000012